(57)【要約】【課題】専用回路を用いることなく、特定パターン信号を高頻度で発生させることを可能にする技術を提供すること。【解決手段】テストコード出力方法は、復調テーブルから所望のコードワードに対応するデータワードＡ（ｈ：１６進法）を選択し、前記変調テーブルから前記データワードＡに対応する前記所望のコードワードのステートＮを検出し、前記変調テーブルから、次のステートとして前記ステートＮを指定する次ステート情報に対応付けられたコードワードであって且つ奇数個のビット１を含むコードワードを検出し、前記検出されたコードワードに対応するデータワードＢ（ｈ：１６進法）を選択し、データワードＢ Ａを複数個含むテストデータワードを変調して生成されたテストコードを出力する。【選択図】      図６
2009158045.tif 000002
【特許請求の範囲】
【請求項１】
様々なデータワードをコードワードへ変調するための変調テーブルを用いたテストコード出力方法であって、
前記変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含み、
前記変調テーブルにより変調されたコードワードからデータワードを復調するための復調テーブルから、所望のコードワードに対応するデータワードＡ（Ａ：二桁の１６進数）を選択し、
前記変調テーブルから、前記データワードＡに対応する前記所望のコードワードのステートＮ（Ｎ＝０、１、２）を検出し、
前記変調テーブルから、次のステートとして前記ステートＮを指定する次ステート情報に対応付けられたコードワードであって且つ奇数個のビット１を含むコードワードを検出し、
前記検出されたコードワードに対応するデータワードＢ（Ｂ：二桁の１６進数）を選択し、
データワードＢ Ａを複数個含むテストデータワードを変調して生成されたテストコードを出力する、
ことを特徴とするテストコード出力方法。
【請求項２】
様々なデータワードをコードワードへ変調するための変調テーブルを用いたテストコード出力方法であって、
前記変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含み、
前記変調テーブルにより変調されたコードワードからデータワードを復調するための復調テーブルから、所望のコードワード１０００００ ０００００１に対応するデータワード４９ｈ（ｈ：１６進法）を選択し、
前記変調テーブルから、前記データワード４９ｈに対応する前記所望のコードワードのステート０を検出し、
前記変調テーブルから、次のステートとして前記ステート０を指定する次ステート情報に対応付けられたコードワードであって且つ奇数個のビット１を含むコードワード０１０００１ ００００１０を検出し、
前記検出されたコードワード０１０００１ ００００１０に対応するデータワード６２ｈ（ｈ：１６進法）を選択し、
データワード６２ｈ ４９ｈを複数個含むテストデータワードを変調して生成されたテストコードを出力する、
ことを特徴とするテストコード出力方法。
【請求項３】
前記変調テーブルは、ＮＲＺＩ（non-return-to-zero-inverted recording）用の変調テーブルであることを特徴とする請求項２に記載のテストコード出力方法。
【請求項４】
様々なデータワードをコードワードへ変調するための変調テーブル、及び前記変調テーブルにより変調されたコードワードからデータワードを復調するための復調テーブルを記憶する記憶手段と、
前記変調テーブル及び前記復調テーブルに基づき生成されるデータワードＢ Ａ（Ａ、Ｂ：二桁の１６進数）を複数個含むテストデータワードを変調して生成されたテストコードを出力する出力手段と、
を備え、
前記変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含み、
前記出力手段は、
前記復調テーブルから、所望のコードワードに対応するデータワードＡを選択し、
前記変調テーブルから、前記データワードＡに対応する前記所望のコードワードのステートＮ（Ｎ＝０、１、２）を検出し、
前記変調テーブルから、次のステートとして前記ステートＮを指定する次ステート情報に対応付けられたコードワードであって且つ奇数個のビット１を含むコードワードを検出し、
前記検出されたコードワードに対応するデータワードＢを選択し、
前記データワードＢ Ａを生成する、
ことを特徴とするテストコード出力装置。
【請求項５】
実記録のためのコードワードをスクランブルし、テスト記録のためのコードワードをスクランブルしないスクランブル手段を備えたことを特徴とする請求項４に記載のテストコード出力装置。
【発明の詳細な説明】
【技術分野】
【０００１】
本発明は、ｎビットのデータワードをｍチャネルビットのコードワードに変調し記録する変調記録技術に関する。特に、８ビットのデータワードを１２チャネルビットのコードワードに変調する８／１２変調(ETM : Eight to Twelve Modulation)を用いた変調記録技術に関する。
【背景技術】
【０００２】
光ディスクに対して、データワードをコードワードへ変調し記録する技術が知られている。また、光ディスクに対して特定パターン信号を記録し、その特定パターン信号を再生し、再生信号を評価することにより、記録条件の最適化を図る方式が提案されている（特許文献１参照）。
【特許文献１】特開２００２−３１９１３０
【発明の開示】
【発明が解決しようとする課題】
【０００３】
しかしながら、上記した従来の記録条件の最適化技術では、特定パターン信号を発生するために専用回路が必要であった。つまり、専用回路により特定パターン信号を発生する必要があった。さらに詳しく言うと、専用回路を用いなければ特定パターン信号を高頻度で発生させることは難しい。
【０００４】
本発明の目的は、専用回路を用いることなく、特定パターン信号を高頻度で発生させることを可能にする技術を提供することにある。
【課題を解決するための手段】
【０００５】
この発明のテストコード出力方法は、様々なデータワードをコードワードへ変調するための変調テーブルを用いたテストコード出力方法であって、前記変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含み、前記変調テーブルにより変調されたコードワードからデータワードを復調するための復調テーブルから、所望のコードワードに対応するデータワードＡ（Ａ：二桁の１６進数）を選択し、前記変調テーブルから、前記データワードＡに対応する前記所望のコードワードのステートＮ（Ｎ＝０、１、２）を検出し、前記変調テーブルから、次のステートとして前記ステートＮを指定する次ステート情報に対応付けられたコードワードであって且つ奇数個のビット１を含むコードワードを検出し、前記検出されたコードワードに対応するデータワードＢ（Ｂ：二桁の１６進数）を選択し、データワードＢ Ａを複数個含むテストデータワードを変調して生成されたテストコードを出力する。
【０００６】
この発明の一実施形態に係るテストコード出力装置は、様々なデータワードをコードワードへ変調するための変調テーブル、及び前記変調テーブルにより変調されたコードワードからデータワードを復調するための復調テーブルを記憶する記憶手段と、前記変調テーブル及び前記復調テーブルに基づき生成されるデータワードＢ Ａ（Ａ、Ｂ：二桁の１６進数）を複数個含むテストデータワードを変調して生成されたテストコードを出力する出力手段とを備え、前記変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含み、前記出力手段は、前記復調テーブルから、所望のコードワードに対応するデータワードＡを選択し、前記変調テーブルから、前記データワードＡに対応する前記所望のコードワードのステートＮ（Ｎ＝０、１、２）を検出し、前記変調テーブルから、次のステートとして前記ステートＮを指定する次ステート情報に対応付けられたコードワードであって且つ奇数個のビット１を含むコードワードを検出し、前記検出されたコードワードに対応するデータワードＢを選択し、前記データワードＢ Ａを生成する。
【発明の効果】
【０００７】
本発明によれば、専用回路を用いることなく、特定パターン信号を高頻度で発生させることを可能にする技術を提供できる。
【発明を実施するための最良の形態】
【０００８】
以下、図面を参照し、本発明の実施形態について説明する。
【０００９】
図１は、この発明の一実施形態に係る光ディスク装置（テストコード出力装置）の概略構成を示すブロック図である。この光ディスク装置は、例えば、ＨＤ ＤＶＤ等の光ディスクＤに情報を記録したり、これら光ディスクＤに記録されたデータを再生したりする。
【００１０】
図１に示すように、光ディスク装置は、光ピックアップ１０、変調回路２１、記録再生制御部２２、レーザ制御回路２３、信号処理回路２４、復調回路２５、アクチュエータ２６、フォーカス／トラッキング制御部３０、ホストコンピュータ（データワード生成部）４０を備えている。
【００１１】
また、光ピックアップ１０は、レーザ１１、コリメートレンズ１２、偏光ビームスプリッタ（以下ＰＢＳ）１３、４分の１波長板１４、対物レンズ１５、集光レンズ１６、光検出器１７を備えている。
【００１２】
まず、この光ディスク装置による光ディスクＤに対する情報の記録について説明する。変調回路２１は、図３Ａ〜図３Ｅに示す変調テーブルに従ってホストコンピュータ４０から提供される８ビットのデータワードを１２チャネルビットのデータコードへ変調する。データコードは、記録再生制御部２２に入力される。さらに、この記録再生制御部２２には、ホストコンピュータ４０からの記録再生指示（この場合、記録指示）が入力される。記録再生制御部２２は、アクチュエータ２６に制御信号を出力し、目的の記録位置に光ビームが適切に集光されるように光ピックアップを駆動させる。さらに、記録再生制御部２２は、データコードをレーザ制御回路２３に供給する。レーザ制御回路２３は、データコードをレーザ駆動波形に変換し、レーザ１１を駆動させる。つまり、レーザ制御回路２３は、レーザ１１をパルス駆動させる。これに伴い、レーザ１１は、所望のデータコードに対応した記録用の光ビームを照射する。レーザ１１から照射された記録用の光ビームは、コリメートレンズ１２で平行光となり、ＰＢＳ１３に入射し、透過する。ＰＢＳ１３を透過したビームは、４分の１波長板１４を透過し、対物レンズ１５により光ディスクＤの情報記録面に集光される。集光された記録用の光ビームは、フォーカス／トラッキング制御部３０とアクチュエータ２６とによるフォーカス制御／トラッキング制御により、記録面上に最良の微小スポットが得られる状態で維持される。
【００１３】
続いて、この光ディスク装置による光ディスクＤからのデータの再生について説明する。記録再生制御部２２には、ホストコンピュータ４０からの記録再生指示（この場合、再生指示）が入力される。記録再生制御部２２は、ホストコンピュータ４０からの再生指示に従い、レーザ制御回路２３に再生制御信号を出力する。レーザ制御回路２３は、再生制御信号に基づきレーザ１１を駆動させる。これに伴いレーザ１１は、再生用の光ビームを照射する。レーザ１１から照射された再生用の光ビームは、コリメートレンズ１２で平行光となり、ＰＢＳ１３に入射し、透過する。ＰＢＳ１３を透過した光ビームは４分の１波長板１４を透過し、対物レンズ１５により光ディスクＤの情報記録面に集光される。集光された再生用の光ビームは、フォーカス／トラッキング制御部３０とアクチュエータ２６とによるフォーカス制御／トラッキング制御により、記録面上に最良の微小スポットが得られる状態で維持される。このとき、光ディスクＤ上に照射された再生用の光ビームは、情報記録面内の反射膜あるいは反射性記録膜により反射される。反射光は対物レンズ１５を逆方向に透過し、再度平行光となる。反射光は４分の１波長板１４を透過し、入射光に対して垂直な偏光を持ち、ＰＢＳ１３では反射される。ＰＢＳ１３で反射されたビームは集光レンズ１６により収束光となり、光検出器１７に入射される。光検出器１７は、例えば、４分割のフォトディテクタから構成されている。光検出器１７に入射した光束は光電変換されて電気信号となり増幅される。増幅された信号は信号処理回路２４にて等化され２値化される。つまり、信号処理回路２４は、コードワードを生成し、復調回路２５へ送信する。復調回路２５は、図４Ａ〜図４Ｄに示す復調テーブルに従って、コードワードからデータワードを復調する。
【００１４】
図２は、図１に示す変調回路２１の一例を示す図である。変調回路２１は、コードテーブル２１１、ステートレジスター２１２、コードコネクター２１３、ＤＳＶ（Digital sum value）コントローラ２１４を備えている。
【００１５】
コードテーブル２１１は、図３Ａ〜図３Ｅに示す変調テーブルを備える。図３Ａ〜図３Ｅは、様々なデータワードをコードワードへ変調するためのＮＲＺＩ（non-return-to-zero-inverted recording）用の変調テーブルの一例を示す図である。図３Ａ〜図３Ｅに示すように、変調テーブルは、様々なデータワードの夫々に対応する、ステート０において選択されるコードワードと次のステート０、１、２のうちの何れかを指定する次ステート情報、ステート１において選択されるコードワードと次のステート０、１、２のうちの何れかを指定する次ステート情報、及びステート２において選択されるコードワードと次のステート０、１、２のうちの何れかを指定する次ステート情報を含む。なお、図４Ａ〜図４Ｄは、図３Ａ〜図３Ｅに示す変調テーブルにより変調されたコードワードからデータワードを復調するための復調テーブルの一例を示す図である。
【００１６】
ステートレジスター２１２は、選択されたコードワードに対応する次ステート情報をレジストし、ステート情報としてコードテーブル２１１へ通知する。コードコネクター２１３は、コードテーブル２１１から順次出力されるコードワードを接続する。ＤＳＶコントローラ２１４はコネクトされたコードワードのＤＳＶをコントロールする。
【００１７】
続いて、上記した図１に示す光ディスク装置によるテストコードの出力について説明する。図３Ｂに示す変調テーブル及び図４Ｃに示す復調テーブルを用いたホストコンピュータ４０による”１０００００ ０００００１”のパターン（所謂１１Ｔパターン）の高頻度発生制御の例について説明する。
【００１８】
最初に、図４Ｃに示す復調テーブルから１１Ｔを選ぶ。つまり、コードワード１０００００ ０００００１を選択し、コードワード１０００００ ０００００１に対応するデータワード４９ｈ（ｈ：１６進法）を選択する。なお、図４Ｃに示す復調テーブル中の”ｚ”は復調エラーを示す。
【００１９】
次に、図３Ｂに示す変調テーブル中のデータワード４９ｈを参照し、データワード４９ｈに対応するコードワード１０００００ ０００００１を選択する。なお、データワード４９ｈに対応するコードワードは３種類存在する。つまり、ステート０に対応するコードワードと、ステート１に対応するコードワードと、ステート２に対応するコードワードが存在する。この３種類のコードワードの中から、コードワード１０００００ ０００００１を選択し、コードワード１０００００ ０００００１に対応するステート０を検出する。
【００２０】
続いて、変調元データワードＢ ４９ｈを定義する。Ｂは、以下の（１）及び（２）の両方を満たすコードワードである。
【００２１】
（１）次のステート（Next state）としてステート０を指定するステート情報に対応付けられたコードワードを選定する。
【００２２】
（２）奇数個のビット１（ビット反転箇所が奇数個）を含むコードワードを選定する。
【００２３】
例えば、図３Ｂに示すように、６２ｈに対応するステート１のコードワード０１０００１ ００００１０は、次のステートが必ずステート０を指定するステート情報に対応付けられており、３個のビット１を含む。よって、変調元データワード６２ｈ ４９ｈを選出することができる。
【００２４】
変調元データワード６２ｈ ４９ｈの繰り返しパターンを含むメインデータをスクランブルせずに変調する。つまり、変調テーブルにより、６２ｈ ４９ｈは、変調パターン”０１０００１ ００００１０ １０００００ ０００００１ ０１０００１ ００００１０ １０００００ ０００００１”に変調される。この変調パターンをＮＲＺ（non-return-to-zero recording）変調パターンに変換する。つまり上記変調パターンはＮＲＺ変調パターン”０１１１１０ ００００１１ ００００００ ０００００１ １００００１ １１１１００ １１１１１１ １１１１１０”に変換される。このＮＲＺ変調パターンを４ビット単位に区切ると、４ビット単位パターン”０１１１ １０００ ００１１ ００００ ００００ ０００１ １０００ ０１１１ １１００ １１１１ １１１１ １１１０”が得られる。この４ビット単位パターンをＨＥＸ（１６進法）で表記すると、コード”７８ｈ ３０ｈ ０１ｈ ８７ｈ ＣＦｈ ＦＥｈ”が得られる。即ち、変調元データワード６２ｈ ４９ｈの繰り返しパターンを含むメインデータをスクランブルせずに変調すると、コード７８３０ ０１８７ ＣＦＦＥの繰り返しを含むテストパターンが得られる。コード７８３０ ０１８７ ＣＦＦＥ中に含まれる”００１”を４ビット×３のデータで表記すると、”００００ ００００ ０００１”となる。また、コード７８３０ ０１８７ ＣＦＦＥ中の”ＦＦＥ”を４ビット×３で表記すると、”１１１１ １１１１ １１１０”となる。”００００ ００００ ０００１”及び”１１１１ １１１１ １１１０”の繰り返しパターンを含むテストパターンをＮＲＺにより記録すると、図５に示すように、１１Ｔスペース（００１）と１１Ｔマーク（ＦＦＥ）が交互に現れる。仮に１１Ｔスペース（００１）のみのパターンが生成されてしまうと、ＤＳＶが偏るため信号品位調整には向かない。以上により、１１Ｔ出現頻度が高いコードを記録することができる。しかも、テストパターンは、１１Ｔ以外のパターンも含むためＰＬＬによる同期クロックを比較的容易に取得することが可能となる。
【００２５】
ここで上記したスクランブルについて説明する。図１に示す光ディスク装置の信号処理回路は、実記録の際にはコードワードを含むメインデータをスクランブルし、スクランブルデータに対してＥＣＣ（error correction code）エンコーディングを実施する。これに対して、図１に示す光ディスク装置の信号処理回路は、テスト記録の際にはコードワードを含むメインデータをスクランブルせずに非スクランブルデータに対してＥＣＣエンコーディングを実施する。つまり、実記録時とテスト記録時でスクランブルのオン／オフを切り換えるだけで、実記録及びテスト記録の両方を実現することができる。
【００２６】
図６に示すフローチャートを参照し、上記したホストコンピュータ４０による”１０００００ ０００００１”のパターン（所謂１１Ｔパターン）の高頻度発生制御の例を一般化し、以下説明する。
【００２７】
最初に、図４Ａ〜図４Ｄに示す復調テーブルから所望のコードワードを選択し（ＳＴ１）、選択されたコードワードに対応するデータワードＡ（Ａ：二桁の１６進数）を選択する（ＳＴ２）。
【００２８】
次に、図３Ａ〜図３Ｅに示す変調テーブル中のデータワードＡを参照し、データワードＡに対応するコードワードを選択する。なお、データワードＡに対応する３種類のコードワードの中から上記の所望のコードワードを選択し（ＳＴ３）、選択した上記の所望のコードワードに対応するステートＮ（Ｎ＝０、１、２）を検出する（ＳＴ４）。
【００２９】
続いて、変調元データワードＢ Ａ（Ｂ：二桁の１６進数）を定義する（ＳＴ５）。Ｂは、以下の（１）及び（２）の両方を満たすコードワードである。
【００３０】
（１）次のステート（Next state）としてステートＮを指定するステート情報に対応付けられたコードワードを選定する。
【００３１】
（２）奇数個のビット１（ビット反転箇所が奇数個）を含むコードワードを選定する。
【００３２】
変調元データワードＢ Ａの繰り返しパターンを含むメインデータをスクランブルせずに変調し、テストパターンを生成する（ＳＴ６）。
【００３３】
以上により、専用回路を用いることなく、所望のコードワードの出現頻度が高いコードを記録することができる。これにより、記録学習に於いて試し書きデータサイズの縮小と記録学習時間の短縮を図ることができる。
【００３４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３５】
【図１】この発明の一実施形態に係る光ディスク装置（テストコード出力装置）の概略構成を示すブロック図である。
【図２】図１に示す変調回路の一例を示す図である。
【図３Ａ】変調テーブルの一例を示す図である。
【図３Ｂ】変調テーブルの一例を示す図である。
【図３Ｃ】変調テーブルの一例を示す図である。
【図３Ｄ】変調テーブルの一例を示す図である。
【図３Ｅ】変調テーブルの一例を示す図である。
【図４Ａ】復調テーブルの一例を示す図である。
【図４Ｂ】復調テーブルの一例を示す図である。
【図４Ｃ】復調テーブルの一例を示す図である。
【図４Ｄ】復調テーブルの一例を示す図である。
【図５】１１Ｔスペースと１１Ｔマークが交互に現れることによるメリットを説明するための図である。
【図６】テストコード出力の一例を示すフローチャートである。
【符号の説明】
【００３６】
１０…光ピックアップ、２１…変調回路、２２…記録再生制御部、２３…レーザ制御回路、２４…信号処理回路、２５…復調回路、２６…アクチュエータ、３０…フォーカス／トラッキング制御部、４０…ホストコンピュータ、２１１…コードテーブル、２１２…ステートレジスター、２１３…コードコネクター、２１４…ＤＳＶコントローラ
【図１】
2009158045.tif 000003
【図２】
2009158045.tif 000004
【図３Ａ】
2009158045.tif 000005
【図３Ｂ】
2009158045.tif 000006
【図３Ｃ】
2009158045.tif 000007
【図３Ｄ】
2009158045.tif 000008
【図３Ｅ】
2009158045.tif 000009
【図４Ａ】
2009158045.tif 000010
【図４Ｂ】
2009158045.tif 000011
【図４Ｃ】
2009158045.tif 000012
【図４Ｄ】
2009158045.tif 000013
【図５】
2009158045.tif 000014
【図６】
2009158045.tif 000015